(57)【要約】【課題】フレームレートを低下させることなく、複数のフレームレートの期間を有する動画像コンテンツのデータ量を低減することのできる動画保存装置及びその制御方法を提供する。【解決手段】本発明の動画保存装置は、第１フレームレートの動画像データが存在する第１期間と、第１フレームレートよりも高い第２フレームレートの動画像データが存在する第２期間とを有する動画像コンテンツを保存する動画保存装置であって、第２期間の動画像データのフレームレートを第２フレームレートから第１フレームレートに変換する変換手段と、フレームレートが第１フレームレートに変換された第２期間の動画像データを、第１期間の動画像データと共に１つの動画像コンテンツとして、第１記憶部に格納する第１格納手段と、第２フレームレートの動画像データをデータ量を削減して第２記憶部に格納する第２格納手段と、を有する。【選択図】図２
2010233183.tif 000002
【特許請求の範囲】
【請求項１】
第１フレームレートの動画像データが存在する第１期間と、前記第１フレームレートよりも高い第２フレームレートの動画像データが存在する第２期間とを有する動画像コンテンツを保存する動画保存装置であって、
前記第２期間の動画像データのフレームレートを前記第２フレームレートから前記第１フレームレートに変換する変換手段と、
フレームレートが前記第１フレームレートに変換された前記第２期間の動画像データを、前記第１期間の動画像データと共に１つの動画像コンテンツとして、第１記憶部に格納する第１格納手段と、
前記第２フレームレートの動画像データをデータ量を削減して第２記憶部に格納する第２格納手段と、
を有することを特徴とする動画保存装置。
【請求項２】
前記変換手段は、フレームを間引くことにより、前記第２期間の動画像データのフレームレートを前記第２フレームレートから前記第１フレームレートに変換する
ことを特徴とする請求項１に記載の動画保存装置。
【請求項３】
前記第１記憶部または前記第２記憶部から動画像データを読み出して表示装置に出力する出力手段を更に有し、
前記出力手段は、前記第２記憶部から動画像データを読み出した場合に、当該動画像データのデータ量を元のデータ量まで復元して表示装置に出力する
ことを特徴とする請求項１または２に記載の動画保存装置。
【請求項４】
前記出力手段は、
第１モードと第２モードのいずれかのモードで動画像データを読み出して前記表示装置に出力し、
前記第１モードでは、前記第１期間か前記第２期間かに関わらず、前記第１記憶部からのみ動画像データを読み出し、
前記第２モードでは、前記第１期間で、前記第１記憶部から動画像データを読み出し、前記第２期間で、前記第２記憶部から動画像データを読み出す
ことを特徴とする請求項３に記載の動画保存装置。
【請求項５】
動画像データを格納する際に、前記第１期間と前記第２期間の切り替わり位置のフレームにフレームレートが切り替わることを表すフレームレート変更情報を付加する付加手段を更に有し、
前記出力手段は、前記第２モードでは、前記第１記憶部および前記第２記憶部のいずれか一方の記憶部からフレーム毎に順次動画像データを読み出し、読み出したフレームに前記フレームレート変更情報が付加されていた場合には、読み出し元を他方の記憶部に切り替え、前記一方の記憶部から最後に読み出されたフレームに続くフレームから順に動画像データを読み出す
ことを特徴とする請求項４に記載の動画保存装置。
【請求項６】
前記第２格納手段は、圧縮処理により前記第２フレームレートの動画像データのデータ量を削減する
ことを特徴とする請求項１〜５のいずれか１項に記載の動画保存装置。
【請求項７】
前記第２格納手段は、解像度を下げることにより前記第２フレームレートの動画像のデータ量を削減する
ことを特徴とする請求項１〜５のいずれか１項に記載の動画保存装置。
【請求項８】
第１フレームレートの動画像データが存在する第１期間と、前記第１フレームレートよりも高い第２フレームレートの動画像データが存在する第２期間とを有する動画像コンテンツを保存する動画保存装置の制御方法であって、
前記第２期間の動画像データのフレームレートを前記第２フレームレートから前記第１フレームレートに変換し、フレームレートが前記第１フレームレートに変換された前記第２期間の動画像データを、前記第１期間の動画像データと共に１つの動画像コンテンツとして、第１記憶部に格納するステップと、
前記第２フレームレートの動画像データをデータ量を削減して第２記憶部に格納するステップと、
を有することを特徴とする動画保存装置の制御方法。
【発明の詳細な説明】
【技術分野】
【０００１】
本発明は、フレームレートが互いに異なる期間を有する動画像コンテンツを保存する動画保存装置及びその制御方法に関する。
【背景技術】
【０００２】
近年、一般的に倍速駆動と呼ばれるようにデジタルＴＶの表示フレームレート（表示可能なフレームレートの最大値）は、一般に１２０ｆｐｓである。一方、携帯電話などのモバイル機器でデジタル放送を視聴するための一般的な部分受信サービス（所謂、ワンセグ放送）では、１５ｆｐｓという低いフレームレートの動画像（映像：動画像コンテンツ）が扱われる。また、２４０ｆｐｓや１２００ｆｐｓの高フレームレートで動画撮影を行い、得られた動画像をスロー（モーション）再生した場合に動きを滑らかに表現することのできるカメラが製品化されている。
【０００３】
このように、近年、様々なフレームレートの動画像を扱う機会が増加しつつある。さらに、動的にフレ−ムレートを変化させながら撮影することのできる機器が存在する。また、フレームレートが互いに異なる期間を有する動画像が放送されることが考えられ、そのような状況に対応するための提案がなされている。以下、動画撮影や動画編集の結果、フレームレートが一つの動画像内で変化する動画像、即ち、フレームレートが互いに異なる期間を有する動画像を、可変フレームレートコンテンツと呼ぶ。
【０００４】
図１は可変フレームレートコンテンツの一部のシーンをフレーム単位で表現した図である。図１で６０ｆｐｓの時間間隔で存在するフレーム１０１は、現在では一般的なフレームレートのフレームである。また、期間１０２は、６００ｆｐｓの時間間隔で存在するフレーム群が存在する期間、即ち、フレームレートが６０ｆｐｓに対して１０倍の高フレームレートである期間である。
【０００５】
このような可変フレームレートコンテンツにおいて、高フレームレート部分（期間１０２）では（動画像を通常の速度で再生（通常再生）した場合だけでなくスロー再生した場合にも）動きを滑らかに表現することができる。しかしながら、フレームレートが高くなるほど、単位時間あたりのフレーム数が増加するため、データ量（データ容量；データサイズ）が大幅に増加してしまう。
【０００６】
また、上述した高フレームレート部分のデータは、表示機器が高フレームレートで表示できない場合や、スロー再生を行わない場合には不要なデータとなる。また、表示機器が高フレームレートで表示できても、動画像を通常再生またはスロー再生のような特殊再生する際に、ユーザが動きを滑らかに表現することを要求していなければ、不要なデータとなる。例えば、標準的なフレームレートで動画像を再生する場合に不要となる。即ち、高フレームレート部分のデータは、動画像の再生時に常に必要されるデータではなく、保存領域（データの保存できる領域）内において不要な大容量データとして扱われる場合がある。そのため、そのようなデータ量を削減するための技術が望まれている。
【０００７】
データ量を削減するための技術として、例えば、データの新旧に応じてフレームを間引いてデータを保存する方法が提案されている（特許文献１）。このように特定の基準に応じてフレームを間引いてデータ量を削減する方法は数多く提案されている。
【先行技術文献】
【特許文献】
【０００８】
【特許文献１】特開２００６−１１５４１２号公報
【発明の概要】
【発明が解決しようとする課題】
【０００９】
しかしながら、特許文献１のようにフレームを間引く手法を用いると、当然フレームレートが低下してしまう。例えば、動画全体に対して一律にフレームを間引くと、動画全体のフレームレートが低下してしまう。即ち、標準的なフレームレート部分のフレームレートも低下してしまう。その結果、標準的なフレームレート部分では、従来の動画像よりも動きが粗く表現されてしまう。また、高フレームレート部分のフレームのみを間引いたとしても問題がある。そもそも、高フレームレート部分では、動きを滑らかに表現するためにフレームレートが高くされている。しかしながら、高フレームレート部分のフレームを間引くと、動きを滑らかに表現したい場合にそのような効果が低減もしくは失われてしまう。
【００１０】
そこで、本発明は、フレームレートを低下させることなく、複数のフレームレートの期間を有する動画像コンテンツのデータ量を低減することのできる動画保存装置及びその制御方法を提供することを目的とする。
【課題を解決するための手段】
【００１１】
上述した課題を解決するために、本発明の動画保存装置は、第１フレームレートの動画像データが存在する第１期間と、前記第１フレームレートよりも高い第２フレームレートの動画像データが存在する第２期間とを有する動画像コンテンツを保存する動画保存装置であって、前記第２期間の動画像データのフレームレートを前記第２フレームレートから前記第１フレームレートに変換する変換手段と、フレームレートが前記第１フレームレートに変換された前記第２期間の動画像データを、前記第１期間の動画像データと共に１つの動画像コンテンツとして、第１記憶部に格納する第１格納手段と、前記第２フレームレートの動画像データをデータ量を削減して第２記憶部に格納する第２格納手段と、を有することを特徴とする。
【００１２】
また、本発明の動画保存装置の制御方法は、第１フレームレートの動画像データが存在する第１期間と、前記第１フレームレートよりも高い第２フレームレートの動画像データが存在する第２期間とを有する動画像コンテンツを保存する動画保存装置の制御方法であって、前記第２期間の動画像データのフレームレートを前記第２フレームレートから前記第１フレームレートに変換し、フレームレートが前記第１フレームレートに変換された前記第２期間の動画像データを、前記第１期間の動画像データと共に１つの動画像コンテンツとして、第１記憶部に格納するステップと、前記第２フレームレートの動画像データをデータ量を削減して第２記憶部に格納するステップと、を有することを特徴とする。
【発明の効果】
【００１３】
本発明によれば、フレームレートを低下させることなく、複数のフレームレートの期間を有する動画像コンテンツのデータ量を低減することのできる動画保存装置及びその制御方法を提供することができる。
【図面の簡単な説明】
【００１４】
【図１】可変フレームレートコンテンツの一部のシーンを表現した図。
【図２】本実施形態に係る動画保存装置の機能構成を示す図。
【図３】動画像コンテンツを格納する際の処理の一例を示す図。
【図４】フレームレート変更情報が付加されるフレームの一例を示す図。
【図５】格納された動画像コンテンツを再生する際の処理の一例を示す図。
【図６】第１モードを説明するための図。
【図７】第２モードを説明するための図。
【発明を実施するための形態】
【００１５】
以下、本実施形態に係る動画保存装置（及びその制御方法）について説明する。本実施形態に係る動画保存装置は、フレームレートが互いに異なる期間を有する動画像（動画像コンテンツ）を保存する。フレームレートが互いに異なる期間は、具体的には、第１フレームレートの動画像データが存在する第１期間と、第１フレームレートよりも高い第２フレームレートの動画像データが存在する第２期間である。本実施形態では、第１フレームレートが６０ｆｐｓ、第２フレームレートが６００ｆｐｓであるものとする。
【００１６】
（動画像コンテンツの保存）
まず、本実施形態に係る動画保存装置における、動画像コンテンツの保存に関する構成及び処理について説明する。図２は本実施形態に係る動画保存装置の機能構成を示す図である。
【００１７】
標準レート設定部２０１は、特定の基準に従って動画像コンテンツを解析し、標準フレームレートを設定する、または、ユーザが任意に指定したフレームレートを、標準フレームレートとして設定する。例えば、動画像コンテンツは、各フレームがどのようなフレームレートの動画像データのフレームか（即ち、各フレームに対応するフレームレート）を表すフレームレート情報を有するものとする。そして、標準レート設定部２０１は、フレームレート情報から対応するフレーム数が最も多いフレームレートや、総期間が最も長いフレームレートを標準フレームレートとする。もしくは、ユーザが通常再生時のフレームレート（通常再生速度）として希望するフレームレートを標準フレームレートとして設定する。本実施形態では標準フレームレートは、第１フレームレート以上第２フレームレート未満であるものとする。
【００１８】
データ入力部２０２は、動画像データを取得し、保存実行部２０３に取得した動画像データを送る。また、フレームレート情報をフレームレート解釈部２０４へ送る。本実施形態では、各フレームにメタ情報としてフレームレート情報が付加されているものとする。例えば、第１期間のフレームには「６０ｆｐｓ」というフレームレート情報が付加されており、第２期間のフレームには「６００ｆｐｓ」というフレームレート情報が付加されているものとする。それにより、放送されている動画像コンテンツ内のフレームレートや、撮影時のフレームレート、動画像コンテンツの編集後のフレームレートを判別することができる。なお、本実施形態では、第２フレームレートが第１フレームレートの整数倍であるため、第２期間には、第１フレームレートに対応するフレームが存在する。本実施形態では、そのようなフレームには、第１フレームレートと第２フレームレートの両方を表すフレームレート情報が付加されているものとする。
【００１９】
なお、フレームレート情報は各フレームに対応するフレームレートを表していればよく、どのような形式で動画像コンテンツに含まれていてもよい。例えば、フレームレート情報は、各フレームではなく、フレームレートの切り替わり位置のフレームにのみ付加されていてもよい。具体的には、各期間（第１期間や第２期間）の先頭のフレームにフレームレート情報が付加されていてもよい。その場合には、１つの期間内のフレームに、その期間の先頭に付加されているフレームレート情報と同じフレームレート情報が付加されているものと解釈すればよい。
【００２０】
フレームレート解釈部２０４は、フレームレート情報から各フレームの対応するフレームレートを判断する。そして、フレーム毎に、対応するフレームレートと標準フレームレートを比較し、比較結果に応じた指示を保存実行部２０３に対して行う。
保存実行部２０３（変換手段）はフレームレート解釈部２０４の指示に従ってデータ入
力部２０２から入力される動画像データをデータ格納部Ａ２０５（第１記憶部）やデータ削減部２０６へ送る。
【００２１】
データ格納部Ａ２０５、データ格納部Ｂ２０７は動画像データを格納することのできる記憶媒体であれば、どのような記憶媒体を用いてもよい。例えば、データ格納部Ａ２０５、データ格納部Ｂ２０７として、ＨＤＤ等の磁気記憶媒体、ＤＶＤ等の光ディスク、不揮発性強誘電体メモリなど、種々の記憶媒体を用いることができる。なお、データ格納部Ａ２０５、データ格納部Ｂ２０７は別々の記憶媒体であってもよいし、１つの記憶媒体であってもよい。
【００２２】
データ削減部２０６は、入力された動画像データのデータ量を削減する。データ量はどのような方法で削減してもよい。データの圧縮（圧縮処理）やダウンスケーリングの手法は数多く提案されており、効果や処理の負荷も様々である。動画像データのデータ量を削減するための方法は、例えば、それらの方法の中から必要に応じて選択すればよい。
【００２３】
具体的には、解像度を下げること（ダウンスケーリング）によってデータ量を削減する方法としては、単純に解像度方向の画素を間引く方法や何らかのプレフィルタを使用する方法などが考えられる。
なお、フレームレートが高いほど、即ち、隣接するフレーム間の時間が短いほど、フレーム間の相関は高くなる（隣接する２フレームの画像は類似したものになる）。一般に、フレーム間の相関が高いほど、高い圧縮効果が得られるため、圧縮処理では、より効率的なデータ量の削減が期待できる。
【００２４】
以下、動画像コンテンツを格納（保存）する際の処理の一例について図３のフローチャートを用いて説明する。なお、以下では１フレームに対する処理について説明し、以下の処理を取得した動画像コンテンツの全てのフレームに対して行うことにより、取得した動画像コンテンツの格納が完了する。
まず、フレームレート解釈部２０４が、フレーム毎に、フレームが標準フレームレートより高いフレームレートに対応するフレームであるか否かを判断する（ステップＳ１０１）。
【００２５】
フレームが標準フレームレートより高いフレームレートに対応する場合には（ステップＳ１０１：ＹＥＳ）、保存実行部２０３はそのフレーム（フレームデータ）をデータ削減部２０６へ送る。そして、ステップＳ１０２へ進む。フレームが標準フレームレート以下のフレームレートに対応する場合には（ステップＳ１０１：ＹＥＳ）、保存実行部２０３はそのフレームをデータ格納部Ａ２０５へ送る。そして、当該フレームはデータ格納部Ａ２０５へ格納される（ステップＳ１０３）。ステップＳ１０１のＹＥＳ判定→ステップＳ１０３の処理の流れが第１格納手段に相当する。
【００２６】
ステップＳ１０２では、データ削減部２０６が、入力されたフレームのデータ量を削減する。そして、データ量が削減されたフレームをデータ格納部Ｂ２０７へ送る。そして、当該フレームはデータ格納部Ｂ２０７へ格納される（ステップＳ１０３）。ステップＳ１０１のＮＯ判定→ステップＳ１０２→ステップＳ１０３の処理の流れが第２格納手段に相当する。
なお、フレームレート情報が第１フレームレートと第２フレームレートの両方を表す場合には、フレームはデータ格納部Ａ２０５とデータ削減部２０６にそれぞれ送られる。
【００２７】
このように取得した動画像コンテンツを格納することにより、第１期間の動画像データはそのままデータ格納部Ａ２０５に格納される。そして、第２期間の動画像データ（第２フレームレートの動画像データ）はデータ量を削減した上でデータ格納部Ｂ２０７に格納
される。それにより、フレームレートを低下させることなく、複数のフレームレートの期間を有する動画像コンテンツのデータ量を低減することができる。更に、第２期間内のフレームのうち、第１フレームレートと第２フレームレートの両方を表すフレームレート情報が付加されたフレームはデータ格納部Ａ２０５に格納される。即ち、第２期間の動画像データにおいてそのようなフレーム以外のフレームが間引かれてデータ格納部Ａ２０５に格納される。その結果、第２期間の動画像データのフレームレートが第２フレームレートから第１フレームレートに変換される。そして、フレームレートが第１フレームレートに変換された第２期間の動画像データは、第１期間の動画像データと共に１つの動画像コンテンツとしてデータ格納部Ａ２０５に格納される。それにより、第１フレームレートで動画像コンテンツを視聴する場合には、データ格納部Ａ２０５からのみ動画像データを読み出せばよい（データ量が削減された動画像データを読み出す必要がない）。従って、処理負荷を低減することができ利便性が向上される。
【００２８】
なお、本実施形態では、フレームを間引くことにより、第２期間の動画像データのフレームレートを第２フレームレートから第１フレームレートに変換した。そのような構成にすることで、簡単な処理でフレームレートを変換することができる。しかし、変換方法はこれに限らない。例えば、隣接する複数のフレームを用いて新たなフレームを作成することにより、フレームレートを変換してもよい。第２フレームレートが第１フレームレートの整数倍でない場合には、隣接する複数のフレームから補間フレームを作成することにより、フレームレートを変換してもよい。
【００２９】
また、本実施形態では、動画像コンテンツを格納する際に、保存実行部２０３が、第１期間と第２期間の切り替わり位置のフレームにフレームレート変更情報（変更情報）を付加する。変更情報は、フレームレートが切り替わることを表す情報である。
【００３０】
切り替わり位置のフレームには第１フレームレートと第２フレームレートの両方を表すフレームレート情報が付加されている。そのため、そのようなフレームは、データ格納部Ａ２０５とデータ削減部２０６にそれぞれ送られる。図４の例では、データ格納部Ａ２０５に送られる切り替わり位置のフレームとデータ削減部２０６に送られる切り替わり位置のフレームのいずれか一方に変更情報が付加される。具体的には、データ格納部Ａ２０５に送られるフレームのうち、第２期間４０１の先頭の位置に対応するフレーム４０２に変更情報が付加される。また、データ削減部２０６に送られるフレームのうち、第２期間の最後に位置するフレーム４０３に変更情報が付加される。
【００３１】
このように、変更情報を付加することにより、どの位置でフレームレートの変更が行われたのかを判断することが可能となる。具体的には、フレーム４０２の位置でフレームレートが第１フレームレートから第２フレームレートへ変更されることがわかる。また、フレーム４０３の位置でフレームレートが第２フレームレートから第１フレームレートへ変更されることがわかる。それにより、動画像コンテンツを取得時と同じフレームレートで再生することが可能になる。具体的には、保存された動画像コンテンツを再生する際に、変更情報に応じてフレームの読み出し元（データ格納部Ａ２０５またはデータ格納部Ｂ２０７）を切り替えればよい。それにより、取得時と同じフレームレートで動画像コンテンツを再生することができる。
【００３２】
なお、データ格納部Ａ２０５に送られる切り替わり位置のフレームとデータ削減部２０６に送られる切り替わり位置のフレームの両方に変更情報を付加してもよい。その場合には、変更情報は、切り替わる２つのフレームレート間でどちらからどちらへ切り替わるのかを判断可能な情報であることが好ましい。
【００３３】
（動画像コンテンツの再生）
次に、本実施形態に係る動画保存装置における、保存した動画像コンテンツの再生に関する構成及び処理について説明する。本実施形態では、ユーザは２種類の再生モード（第１モード、第２モード）のいずれかを選択することができるものとする。そして、本実施形態に係る動画保存装置は、選択された再生モードで動画像コンテンツを再生する。図２のデータ復元部２０８、読み出し実行部２０９、及び、データ出力部２１０を併せたものが、出力手段に相当する。
【００３４】
読み出し実行部２０９は、データ格納部Ａ２０５またはデータ格納部Ｂ２０７から動画像データを読み出し、データ出力部２１０へ送る。なお、データ格納部Ｂ２０７から動画像データを読み出す場合には、データ復元部２０８を経由して動画像データが読み出される。
【００３５】
データ復元部２０８は、読み出し実行部２０９がデータ格納部Ｂ２０７から動画像データを読み出す場合に、動画像データのデータ量を元のデータ量（削減前のデータ量）まで復元して読み出し実行部２０９へ伝達する。具体的には、圧縮処理によりデータ量が削減された場合は、削減されたデータを解凍処理により復元する。解像度を下げることでデータ量が削減された場合は、削減されたデータを解像度を上げる（アップスケーリング）ことにより復元する。なお、データの解凍やアップスケーリングの手法は数多く提案されており、効果や処理の負荷も様々である。動画像データのデータ量を復元するための方法は、例えば、それらの方法の中から必要に応じて選択すればよい。
データ出力部２１０は、送られた動画像データを不図示の表示装置へ出力する。
【００３６】
以下、格納された動画像コンテンツを再生する際の処理の一例について図５のフローチャートを用いて説明する。なお、以下では１フレームに対する処理について説明し、以下の処理を繰り返すことにより、動画像コンテンツの再生が完了する。
【００３７】
まず、読み出し実行部２０９が、選択された再生モードが第１モードなのか第２モードなのかを判断する（ステップＳ２０１）。第１モード（通常再生モード）が選択された場合には（ステップＳ２０１：ＹＥＳ）、データ格納部Ａ２０５からフレームが読み出され、表示装置に出力される（ステップＳ２０４）。
【００３８】
第１モードについて、図６を用いてより詳しく説明する。第１モードでは、第１期間か第２期間かに関わらず、データ格納部Ａ２０５からのみ動画像データが読み出される。本実施形態では第２期間の動画像データは、フレームレートが第１フレームレートに変換されて、データ格納部Ａ２０５に格納されている。そのため、第１モードにおいて第２期間の動画像データが欠けることはない。即ち、第２期間６０１については、第１フレームレートに対応するフレーム（１／６０ｓｅｃ間隔のフレーム）のみが読み出される。それにより、取得した動画像コンテンツを第１フレームレートで再生することができる。
【００３９】
ステップＳ２０１で第２モード（可変フレームレート再生モード）が選択された場合には（ステップＳ２０１：ＮＯ）、読み出し実行部２０９が次に読み出すフレームが第２期間内のフレームか否かを判定する（ステップＳ２０２）。第１期間内のフレームであった場合は（ステップＳ２０２：ＮＯ）、データ格納部Ａ２０５からフレームが読み出され、そのまま表示装置に出力される（ステップＳ２０４）。第２期間内のフレームであった場合は（ステップＳ２０２：ＹＥＳ）、データ格納部Ｂ２０７からフレームが読み出され、保存時に削減されたデータが復元される（ステップＳ２０３）。そして、削減部分が復元されたフレームが表示装置に出力される（ステップＳ２０４）。
【００４０】
第２モードについて、図７を用いてより詳しく説明する。第２モードでは、第１期間でデータ格納部Ａ２０５（第１記憶部）から動画像データが読み出され、第２期間でデータ
格納部Ｂ２０７（第２記憶部）から動画像データが読み出される。具体的には、第２モードでは、第１記憶部および第２記憶部のいずれか一方の記憶部からフレーム毎に順次動画像データが読み出される。読み出したフレームに変更情報が付加されていた場合（フレームがフレームレートの切り替わり位置のフレームである場合）には、読み出し元が他方の記憶部に切り替えられる。そして、表示されたフレーム（一方の記憶部から最後に読み出されたフレーム）に続くフレームから順に動画像データが読み出される。
【００４１】
例えば、データ格納部Ａ２０５から順次フレームが読み出されている場合を想定する。フレーム７０１のように、読み出されたフレームに変更情報が付加されていた場合には、次のフレームが第２期間内のフレームであると判定される。そして、読み出し元がデータ格納部Ｂ２０７に切り替えられる。その後、データ格納部Ｂ２０７から順次フレームが読み出される。フレーム７０２のように、読み出されたフレームに変更情報が付加されていた場合には、次のフレームが第１期間内のフレームであると判定され、読み出し元がデータ格納部Ａ２０５に切り替えられる。このような構成にすることにより、第１期間の動画像データと第２期間の動画像データとをシームレスに繋いで再生することができる。
【００４２】
なお、読み出し実行部２０９は、読み出したフレームに変更情報が付加されていた場合に、そのフレームを他の期間内のフレームであると判定してもよい。そして、当該読み出したフレームを出力せずに、読み出し元を切り替えて同じ（時間）位置のフレームを読み出してもよい。
【００４３】
また、本実施形態では、データ格納部Ａ２０５から先に読み出すものとする。動画像コンテンツが第１期間から始まる動画像コンテンツである場合には、そのまま動画像コンテンツを先頭から再生することができる。動画像コンテンツが第２期間から始まる動画像コンテンツである場合には、データ格納部Ａ２０５から読み出されたフレームに変更情報が付加されているため、上記の方法で動画像コンテンツを先頭から再生することができる。しかし、先頭のフレームの位置をフレームレートの切り替わる位置としない場合には、データ格納部Ａ２０５から読み出される先頭のフレームに変更情報は付加されない。その場合には、例えば、フレームレート情報から動画像コンテンツの最初のフレームレートを判断すればよい。具体的には、フレームレート情報が第１フレームレートと第２フレームレートの両方を表す情報である場合に、動画像コンテンツの最初のフレームレートが第２フレームレートであると判断すればよい。
【００４４】
なお、最初の読み出し元はデータ格納部Ａ２０５でなくてもよい。動画像コンテンツが第２期間から始まる動画像コンテンツである場合には、データ格納部Ｂ２０７から読み出しても先頭から再生することができる。また、動画像コンテンツが第１期間から始まる動画像コンテンツである場合には、最初に存在する第２期間の動画像コンテンツの先頭（のフレーム）に、動画像コンテンツの先頭でないことを表す情報を付加していればよい。そのような情報が付加されていた場合には、読み出し元をデータ格納部Ａ２０５に切り替えることにより動画像コンテンツを先頭から再生することができる。各フレームに動画像コンテンツ内の時間位置を表す情報が付加されている場合には、当該情報から動画像コンテンツの最初のフレームレートを判断してもよい。動画像コンテンツを先頭から再生することができればどのような方法を用いてもよい。
【００４５】
このような構成にすることにより、第１モードで動画像コンテンツを再生する場合には、少ない処理量で標準フレームレートの動画像コンテンツを再生することができる。第２モードで動画像コンテンツを再生する場合には、動画像コンテンツを取得時と同様の品質で再生することができる。即ち、取得時の動画像コンテンツによる効果を低減させることなく、少ないデータ量で動画像コンテンツを保存することができる。
【００４６】
以上述べたように、本実施形態に係る動画保存装置（及びその制御方法）によれば、第２期間の動画像がデータ量が削減されて格納される。それにより、フレームレートを低下させることなく、複数のフレームレートの期間を有する動画像コンテンツのデータ量を低減することができる。
【符号の説明】
【００４７】
２０３  保存実行部
２０５  データ格納部Ａ
２０６  データ削減部
２０７  データ格納部Ｂ
【図１】
2010233183.tif 000003
【図２】
2010233183.tif 000004
【図３】
2010233183.tif 000005
【図４】
2010233183.tif 000006
【図５】
2010233183.tif 000007
【図６】
2010233183.tif 000008
【図７】
2010233183.tif 000009